(57)【要約】【課題】  動物侵入防止柵を施工する際に取り扱いやすく、動物侵入防止柵を容易に施工することのできる動物侵入防止柵形成用シートを提供する。【解決手段】  動物侵入防止柵を形成するために動物忌避剤を付着させて用いる動物侵入防止柵形成用シート１０を、蛇腹状に折り畳まれた状態の帯状シートによって形成した。この帯状シート（動物侵入防止柵形成用シート１０）には、所定形状の切れ目Ｃが形成されている。動物侵入防止柵形成用シート１０を使用する際には、帯状シート（動物侵入防止柵形成用シート１０）を、蛇腹状に折り畳まれた状態から繰り出しながら、切れ目Ｃで分離していく。これにより、動物侵入防止柵形成用シート１０を柵状に展開することができる。【選択図】  図２
2017192355.tif 000002
【特許請求の範囲】
【請求項１】
動物侵入防止柵を形成するために動物忌避剤を付着させて用いる動物侵入防止柵形成用シートであって、
切れ目を有する、蛇腹状に折り畳まれた状態の帯状シートからなり、
使用する際には、帯状シートを、蛇腹状に折り畳まれた状態から繰り出しながら前記切れ目で分離していくことによって、柵状に展開できるようにしたことを特徴とする動物侵入防止柵形成用シート。
【請求項２】
前記切れ目が、蛇腹状に折り畳まれた状態の帯状シートの各段において同一形状を為す請求項１記載の動物侵入防止柵形成用シート。
【請求項３】
蛇腹状に折り畳まれた状態の帯状シートにおける、折り畳み方向に平行な一対の側縁のうち、
一方の側縁に沿った帯状の区画が、動物侵入防止柵の上縁部を形成する上縁部形成区画となり、
他方の側縁に沿った帯状の区画が、動物侵入防止柵の下縁部を形成する下縁部形成区画となり、
蛇腹状に折り畳まれた状態の帯状シートにおける、上縁部形成区画と下縁部形成区画との間に位置する区画が、動物侵入防止柵の上縁部と下縁部とを連結する連結部を形成する連結部形成区画となる
ように、前記切れ目が帯状シートに設けられた請求項１又は２記載の動物侵入防止柵形成用シート。
【請求項４】
上縁部形成区画及び下縁部形成区画における一部の区画が支柱固定部を形成する支柱固定部形成区画となるように、前記切れ目が帯状シートに設けられた請求項３記載の動物侵入防止柵形成用シート。
【請求項５】
動物忌避剤が予め付着された請求項１〜４いずれか記載の動物侵入防止柵形成用シート。
【請求項６】
動物忌避剤がカイサプシン又はクレオソートを成分に含むものである請求項５記載の動物侵入防止柵形成用シート。
【請求項７】
請求項１〜６いずれか記載の動物侵入防止柵形成用シートを用いて動物侵入防止柵を施工する動物侵入防止柵の施工方法。
【請求項８】
請求項７記載の動物侵入防止柵の施工方法によって施工された動物侵入防止柵を用いて動物を忌避する動物忌避方法。
【発明の詳細な説明】
【技術分野】
【０００１】
本発明は、動物侵入防止柵を形成するために動物忌避剤を付着させて用いる動物侵入防止柵形成用シートと、この動物侵入防止柵形成用シートを用いて動物侵入防止柵を施工する動物侵入防止柵の施工方法と、この施工方法によって施工された動物侵入防止柵を用いて動物を忌避する動物忌避方法とに関する。
【背景技術】
【０００２】
農作物が野生動物に食い荒らされたり、人が野生動物に襲われたりといった獣害を防ぐため、動物の侵入を防止したい場所に柵（動物侵入防止柵）を設置することが行われている。この種の動物侵入防止柵としては、ネットを用いた単純な構造を有するもの（例えば、特許文献１を参照。）や、それに触れた動物に電気ショックを与える機構を有するもの（例えば、特許文献２を参照。）等が提案されている。しかし、特許文献１のように、ネットを用いた単純な構造を有する動物侵入防止柵では、猪や猿のように身体能力の高い動物の侵入を防止できる程度に堅牢な造りとすることは難しい。また、特許文献２のように、電気的な機構を有する動物侵入防止柵は、素人が容易に施工することができるものではなく、専門業者に施工を依頼する必要がある。
【０００３】
ところで、これまでには、動物忌避剤を塗布又は含浸させたネットを用いた動物侵入防止柵（例えば、特許文献３を参照。）も提案されている。しかし、この種の動物侵入防止柵を施工することも、必ずしも容易ではない。というのも、動物忌避剤は、一般的に、動物に対する忌避効果が強力なものであればあるほど、人体に対しても害が生じやすいものとなる（肌に触れた場合に痛みや腫れ等の症状が出やすいものとなる）ところ、そのような動物忌避剤が塗布等されたネットを作業者の肌に触れないように取り扱うことは難しいからである。また、動物忌避剤が塗布等されたネットの表面に土や泥が付着してしまうと、動物忌避剤による忌避作用が低下する虞があるところ、ネットを地面に着けることなく動物侵入防止柵を施工することも難しいからである。
【先行技術文献】
【特許文献】
【０００４】
【特許文献１】特開２０１２−２２３１０２号公報
【特許文献２】特開２０１１−２３９７４８号公報
【特許文献３】特開平０６−２３７６８０号公報
【発明の概要】
【発明が解決しようとする課題】
【０００５】
本発明は、上記課題を解決するために為されたものであり、動物侵入防止柵を施工する際に取り扱いやすく、動物侵入防止柵を容易に施工することのできる動物侵入防止柵形成用シートを提供するものである。また、この動物侵入防止柵形成用シートを用いて動物侵入防止柵を施工する動物侵入防止柵の施工方法を提供することも本発明の目的である。さらに、この動物侵入防止柵の施工方法によって施工された動物侵入防止柵を用いて動物を忌避する動物忌避方法を提供することも本発明の目的である。
【課題を解決するための手段】
【０００６】
上記課題は、
動物侵入防止柵を形成するために動物忌避剤を付着させて用いる動物侵入防止柵形成用シートであって、
切れ目を有する、蛇腹状に折り畳まれた状態の帯状シートからなり、
使用する際には、帯状シートを、蛇腹状に折り畳まれた状態から繰り出しながら前記切れ目で分離していくことによって、柵状に展開できるようにしたことを特徴とする動物侵入防止柵形成用シート
を提供することによって解決される。
【０００７】
ここで、「切れ目」とは、それに沿って切断しやすくするために形成された線状の脆弱部（切断補助線）のことを云い、必ずしも、動物侵入防止柵形成用シートを表裏に貫通して設けられたものに限定されない。例えば、溝状に形成されたもの（それが設けられた部分が他の部分よりも薄く脆弱に形成された線状の部分）も、「切れ目」の概念に含まれるものとする。また、「切れ目」は、必ずしも連続線状に設けられている必要はなく、いわゆる「ミシン目」のように破線状に設けられたものであってもよい。
【０００８】
本発明の動物侵入防止柵形成用シートは、使用前においては、蛇腹状に折り畳まれた状態となっており、使用する際に、蛇腹状に折り畳まれた状態から繰り出していく（伸ばしていく）ものとなっている。加えて、本発明の動物侵入防止柵形成用シートは、切れ目を有しており、使用する際にその切れ目で分離する（切り離す）ことによって柵状に展開することができるものとなっている。このため、動物侵入防止柵を施工する際には、動物侵入防止柵形成用シートにおける、そのときの作業に必要な部分のみを順次繰り出して柵状に展開していけばよく、他の部分（そのときの作業に必要でない部分）については、蛇腹状に折り畳まれたままの状態で作業することができるようになっている。したがって、動物侵入防止柵形成用シートが作業者の肌や地面に不意に触れないように動物侵入防止柵の施工作業を行うことも可能である。また、動物侵入防止柵の施工作業を行う際における動物侵入防止柵形成用シートの絡まりを防止することも可能である。このように、本発明の動物侵入防止柵形成用シートは、取り扱いやすく、動物侵入防止柵を容易に施工することのできるものとなっている。
【０００９】
本発明の動物侵入防止柵形成用シートは、蛇腹状に折り畳まれた状態の帯状シートの各段において切れ目が異なる形状に形成されたもの（各段における切れ目が重ならないように形成されたもの）であってもよい。しかし、そのような形状を有する切れ目は、帯状シートが折り畳まれた状態では設けることができず、動物侵入防止柵形成用シートの製造が難しくなる虞がある。このため、切れ目は、蛇腹状に折り畳まれた状態の帯状シートの各段において切れ目が同一形状を為すように形成（各段における切れ目が重なるように形成）するとすると好ましい。これにより、帯状シートを折り畳んだ状態とした後、共通の刃型等を用いて帯状シートの各段に一気に切れ目を設けることが可能になり、動物侵入防止柵形成用シートを容易に製造することができるようになる。
【００１０】
本発明の動物侵入防止柵形成用シートは、柵状に展開できるのであれば、切れ目の設け方は特に限定されない。しかし、蛇腹状に折り畳まれた状態の帯状シートにおける、折り畳み方向に平行な一対の側縁のうち、一方の側縁に沿った帯状の区画が、動物侵入防止柵の上縁部を形成する上縁部形成区画となり、他方の側縁に沿った帯状の区画が、動物侵入防止柵の下縁部を形成する下縁部形成区画となり、蛇腹状に折り畳まれた状態の帯状シートにおける、上縁部形成区画と下縁部形成区画との間に位置する区画が、動物侵入防止柵の上縁部と下縁部とを連結する連結部を形成する連結部形成区画となるように、前記切れ目を帯状シートに設けると好ましい。これにより、柵状に展開された動物侵入防止柵形成用シートの形状を安定しやすくすることができる。
【００１１】
本発明の動物侵入防止柵形成用シートにおいて、上述した上縁部形成区画や下縁部形成区画を設ける場合には、上縁部形成区画及び下縁部形成区画における一部の区画が支柱固定部（地面等に立設された支柱（動物侵入防止柵形成用支柱）に対して動物侵入防止柵形成用シートを固定するための部分）を形成する支柱固定部形成区画となるように、前記切れ目を帯状シートに設けると好ましい。これにより、支柱固定部を動物侵入防止柵形成用シートに一体的に形成することが可能になり、動物侵入防止柵を施工するのに必要な部品点数を減らすことができる。また、動物侵入防止柵形成用支柱に対して動物侵入防止柵形成用シートを安定して固定することも可能になる。
【００１２】
本発明の動物侵入防止柵形成用シートは、動物忌避剤が予め付着されていないもの（それを柵状に展開して動物侵入防止柵形成用支柱に固定した後等に動物忌避剤を付着させるもの）であってもよいが、動物忌避剤が予め付着されたものであると好ましい。これにより、動物侵入防止柵を施工する作業者は、動物忌避剤を付着（塗布又は含浸等）させる作業を行う必要がなくなる。また、本発明の動物侵入防止柵形成用シートは、上記のように、取り扱いが容易なものであるところ、それに動物忌避剤が予め付着されていたとしても、動物侵入防止柵の施工の作業性が大きく低下しない。このため、動物侵入防止柵形成用シートに動物忌避剤が予め付着されていると、使用する際に繰り出しながら柵状に展開できる構成を採用したことの意義をより高めることができる。
【００１３】
本発明の動物侵入防止柵形成用シートに付着させる動物忌避剤は、忌避対象の動物の種類等に応じて各種のものを用いることができるが、カイサプシン又はクレオソートを成分に含むものとすると好ましい。これにより、動物侵入防止柵形成用シートを、猪や猿等に対する忌避効果の高いものとすることが可能になる。
【発明の効果】
【００１４】
以上のように、本発明によって、動物侵入防止柵を施工する際に取り扱いやすく、動物侵入防止柵を容易に施工することのできる動物侵入防止柵形成用シートを提供することが可能になる。また、この動物侵入防止柵形成用シートを用いて動物侵入防止柵を施工する動物侵入防止柵の施工方法を提供することも可能になる。さらに、この動物侵入防止柵の施工方法によって施工された動物侵入防止柵を用いて動物を忌避する動物忌避方法を提供することも可能になる。
【図面の簡単な説明】
【００１５】
【図１】本発明の動物侵入防止柵形成用シートを用いて施工した動物侵入防止柵の一例を示した図である。
【図２】本発明の動物侵入防止柵形成用シートであって、蛇腹状に折り畳まれた状態からその一端側を繰り出している様子を示した斜視図である。
【図３】本発明の動物侵入防止柵形成用シートであって、蛇腹状に折り畳まれた状態を、動物侵入防止柵形成用シートに垂直な方向から見た様子を示した図である。
【図４】本発明の動物侵入防止柵形成用シートであって、蛇腹状に折り畳まれた状態から繰り出された一端側を、動物侵入防止柵形成用シートに垂直な方向から見た様子を示した図である。
【図５】本発明の動物侵入防止柵形成用シートであって、図４に示す状態から切れ目に沿って分離して柵状に展開している途中の状態を、動物侵入防止柵形成用シートに垂直な方向から見た様子を示した図である。
【図６】本発明に係る他の実施態様の動物侵入防止柵形成用シートであって、蛇腹状に折り畳まれた状態を、動物侵入防止柵形成用シートに垂直な方向から見た様子を示した図である。
【図７】本発明に係るさらに別の実施態様の動物侵入防止柵形成用シートであって、蛇腹状に折り畳まれた状態を、動物侵入防止柵形成用シートに垂直な方向から見た様子を示した図である。
【図８】本発明の動物侵入防止柵の施工方法において動物侵入防止柵形成用支柱を地面に立設する際に好適に用いることのできる支柱立設具を示した斜視図である。
【図９】図８に示した支柱立設具を用いて動物侵入防止柵形成用支柱を地面に立設している様子を示した図である。
【発明を実施するための形態】
【００１６】
本発明の動物侵入防止柵形成用シートの好適な実施態様について、図面を用いてより具体的に説明する。図１は、本発明の動物侵入防止柵形成用シート１０を用いて施工した動物侵入防止柵１００の一例を示した図である。動物侵入防止柵１００は、図１に示すように、動物侵入防止対象区画５０への侵入防止対象動物６０の侵入を防止することを目的として設置される。図１では、動物侵入防止対象区画５０として畑を図示しているが、動物侵入防止対象防止区画５０は、侵入防止対象動物６０の侵入を防止する必要のある区画であれば特に限定されず、庭や道路等、畑以外の箇所とすることもできる。また、図１では、侵入防止対象動物６０として猪を図示しているが、侵入防止対象動物６０は、動物侵入防止対象区画５０への侵入を防止する必要のある動物であれば特に限定されず、猿や鹿等、猪以外の動物とすることもできる。
【００１７】
本実施態様において、動物侵入防止柵１００は、図１に示すように、柵状に展開された動物侵入防止柵形成用シート１０と、地面に所定間隔で立設された複数本の動物侵入防止柵形成用支柱２０とによって構成されている。動物侵入防止柵形成用シート１０には、後述する動物忌避剤が付着されている。それぞれの動物侵入防止柵形成用支柱２０には、動物侵入防止柵形成用シート１０が固定されている。動物侵入防止柵形成用シート１０は、後述するように、可撓性を有する帯状シートによって形成されているところ、動物侵入防止柵形成用支柱２０に支持されることによって、柵状の形態を安定して維持できるようになっている。図１では、動物侵入防止対象区画５０の全周部を囲うように動物侵入防止柵１００を設置しているが、動物侵入防止対象区画５０の周部における一部の区間に障害物がある場合等には、当該一部の区間には、動物侵入防止柵１００を設置しなくてもよい。
【００１８】
以下、動物侵入防止柵１００を構成する各部材（動物侵入防止柵形成用シート１０及び動物侵入防止柵形成用支柱２０）について、より詳しく説明する。以下においては、説明の便宜上、「動物侵入防止柵形成用シート」を「柵形成用シート」と表記し、「動物侵入防止柵形成用支柱」を「柵形成用支柱」と表記する。
【００１９】
［柵形成用シート（動物侵入防止柵形成用シート）］
まず、柵形成用シート１０について説明する。図２は、本発明の柵形成用シート１０であって、蛇腹状に折り畳まれた状態からその一端側を繰り出している様子を示した斜視図である。図３は、本発明の柵形成用シート１０であって、蛇腹状に折り畳まれた状態を、柵形成用シート１０に垂直な方向から見た様子を示した図である。図４は、本発明の柵形成用シート１０であって、蛇腹状に折り畳まれた状態から繰り出された一端側を、柵形成用シート１０に垂直な方向から見た様子を示した図である。図５は、本発明の柵形成用シート１０であって、図４に示す状態から切れ目Ｃに沿って分離して柵状に展開している途中の状態を、柵形成用シート１０に垂直な方向から見た様子を示した図である。図６は、本発明に係る他の実施態様の柵形成用シート１０であって、蛇腹状に折り畳まれた状態を、柵形成用シート１０に垂直な方向から見た様子を示した図である。図７は、本発明に係るさらに別の実施態様の柵形成用シート１０であって、蛇腹状に折り畳まれた状態を、柵形成用シート１０に垂直な方向から見た様子を示した図である。
【００２０】
本発明の柵形成用シート１０は、図２に示すように、使用前の状態（動物侵入防止柵１００を形成する前の状態）においては、蛇腹状に折り畳まれた状態の帯状シートとなっている。この帯状シート（柵形成用シート１０）には、所定形状の切れ目Ｃ（図２における破線で示した部分。他の図面（図３，４等）においても同様。）が形成されている。本発明の柵形成用シート１０は、それを使用する際（動物侵入防止柵１００を形成する際）には、図２に示すように、蛇腹状に折り畳まれた状態から、図４に示すように、その一端側を繰り出していくとともに、図５に示すように、それを切れ目Ｃ（図４における破線で示された箇所）に沿って分離していくことによって、図１に示すように、柵状に展開できるものとなっている。柵形成用シート１０における折り畳み方向に垂直な方向（柵形成用シート１０の短手方向）の幅Ｗは、図４及び図５に示すように、柵形成用シート１０を柵状に展開する前の状態（図４）よりも、柵状に展開している状態（図５）の方が広くなるようになっている。
【００２１】
柵形成用シート１０を柵状に展開する前後で柵形成用シート１０の幅Ｗ（図４）がどの程度広くなるようにするか（図５における変化幅ΔＷをどの程度大きくできるようにするか）は、特に限定されない。しかし、柵形成用シート１０の変化幅ΔＷが小さいと、折り畳み状態における柵形成用シート１０の幅Ｗ０（図４）を広くしておかなければ、柵形成用シート１０の使用幅（柵形成用支柱２０に固定したときにおける柵形成用シート１０の幅Ｗのこと。図１における使用幅Ｗ１を参照。）を確保できなくなり、折り畳み状態の柵形成用シート１０をコンパクトにしにくくなる虞がある。このため、柵状に展開する前の幅Ｗ０に対する、変化幅ΔＷの最大値（ΔＷｍａｘとする。）の比ΔＷｍａｘ／Ｗ０は、０．５以上とすると好ましく、１以上とするとより好ましい。一方、柵形成用シート１０の変化幅ΔＷが大きすぎると、柵状に展開した後における柵形成用シート１０の強度を維持しにくくなる虞がある。このため、比ΔＷｍａｘ／Ｗ０は、１０以下とすると好ましく、５以下とするとより好ましい。ΔＷｍａｘの値は、切れ目Ｃの設け方や柵形成用シート１０の撓みやすさ等によって決定される。柵形成用シート１０の使用幅Ｗ１（図１）は、侵入防止対象動物の種類によっても異なるが、侵入防止対象動物が猪や鹿である場合には、通常、５０〜２００ｃｍ程度、好ましくは、７０〜１７０ｃｍ程度、より好ましくは、１００〜１５０ｃｍ程度とされる。侵入防止対象動物が、猿等、跳躍力に優れた動物である場合には、柵形成用シート１０の使用幅Ｗ１は、上述した値よりも、５０〜１００ｃｍ以上広く設定される。
【００２２】
使用前（折り畳まれた状態）の柵形成用シート１０は、通常、図示省略のケースや袋等の収容材に収容された状態とされる。これにより、使用前の柵形成用シート１０に汚れ等が付着しないようにすることが可能となっている。また、後述するように、本実施態様においては、柵形成用シート１０に動物忌避剤が予め付着（塗布又は含浸等）されるところ、使用前の柵形成用シート１０に付着している動物忌避剤が、動物侵入防止柵１００を施工する作業者等の肌に付着しないようにすることも可能となっている。柵形成用シート１０を収容する収容材は、ウェットティッシュやウェット雑巾等で使用されている保存袋のように、開封後も密封できる構造のものとすると好ましい。これにより、柵形成用シート１０を全て使用しきらなかった場合であっても、残った柵形成用シート１０を、乾燥等しない状態で長期間保管することが可能になる。
【００２３】
使用前における柵形成用シート１０の折り畳みの段数は、柵形成用シート１０の全長（折り畳み方向（柵形成用シート１０の長手方向）に沿った方向での長さ）と柵形成用シート１０の折り畳み長（柵形成用シート１０の各段における折り畳み方向に沿った方向での長さ）との兼ね合いによって決定される。具体的には、柵形成用シート１０の折り畳みの段数を「Ｎ」とし、柵形成用シート１０の全長を「Ｌ０」とし、柵形成用シート１０の折り畳み長を「Ｌ１」（図２）とすると、柵形成用シート１０の折り畳みの段数Ｎは、Ｌ０／Ｌ１となる。例えば、柵形成用シート１０の全長Ｌ０が５００ｃｍで、柵形成用シート１０の折り畳み長Ｌ１が５０ｃｍの場合には、柵形成用シート１０の折り畳みの段数Ｎは、１０段となる。柵形成用シート１０の全長Ｌ０は、通常、５〜１００ｍ程度、好ましくは、１０〜５０ｍ程度とされ、柵形成用シート１０の折り畳み長Ｌ１は、通常、２０〜１００ｃｍ程度、好ましくは、３０〜５０ｃｍ程度とされる。
【００２４】
使用前における柵形成用シート１０の折り畳みの段数Ｎの具体的な値は、柵形成用シート１０の１枚分の厚さ等によっても異なり、特に限定されない。しかし、段数Ｎが少なすぎると、柵形成用シート１０の全長Ｌ０を長く確保するためには、柵形成用シート１０の折り畳み長Ｌ１を長くする必要が生じ、柵形成用シート１０の取り扱いやすさが低下する虞がある。このため、段数Ｎは、５段以上とすると好ましく、１０段以上とするとさらに好ましい。一方、段数Ｎが多すぎると、折り畳まれた状態における柵形成用シート１０の見掛けの厚さが大きくなり、後述するように、折り畳まれた状態の柵形成用シート１０における各段に、同一形状の切れ目Ｃを一気に設けることが難しくなる虞がある。このため、段数Ｎは、１００段以下とすると好ましく、７０段以下とするとより好ましく、５０段以下とするとさらに好ましい。
【００２５】
本実施態様において、切れ目Ｃは、柵形成用シート１０を破線状（ミシン目状）に切断することによって設けているが、連続線状に設けてもよい。また、切れ目Ｃは、蛇腹状に折り畳まれた状態の柵形成用シート１０の各段において異なる形状に形成してもよいが、本実施態様においては、図２に示すように、蛇腹状に折り畳まれた状態の柵形成用シート１０の各段において同一形状を為すように形成（各段における切れ目Ｃが重なるように形成）している。これにより、帯状シート（柵形成用シート１０）を折り畳んだ状態とした後、共通の刃型等を用いて帯状シートの各段に一気に切れ目を設けることが可能になり、柵形成用シート１０を容易に製造することができるようになっている。切れ目Ｃは、柵形成用シート１０を柵状に展開可能とするものであれば、その具体的な形状を特に限定されない。本実施態様においては、以下のような形状に切れ目Ｃを設けている。すなわち、柵形成用シート１０に、後述する、上縁部形成区画１１と、下縁部形成区画１２と、連結部形成区画１３と、支柱固定部形成区画１４とが形成されるように、切れ目Ｃを設けている。  
【００２６】
このうち、上縁部形成区画１１は、動物侵入防止柵１００（図１）の上縁部を形成するための部分となっている。上縁部形成区画１１は、図２に示すように、蛇腹状に折り畳まれた状態の柵形成用シート１０（帯状シート）における、折り畳み方向に平行な一対の側縁のうち、一方の側縁に沿った帯状の区画（２番目に大きな目の網掛けハッチングで示された区画）となっている。また、下縁部形成区画１２は、動物侵入防止柵１００（図１）の下縁部を形成するための部分となっている。下縁部形成区画１２は、図２に示すように、蛇腹状に折り畳まれた状態の柵形成用シート１０（帯状シート）における、折り畳み方向に平行な一対の側縁のうち、他方の側縁（上縁部形成区画１１が設けられる側とは反対側の側縁）に沿った帯状の区画（最も大きな目の網掛けハッチングで示された区画）となっている。
【００２７】
さらに、連結部形成区画１３は、動物侵入防止柵１００（図１）の上縁部と下縁部とを連結する連結部を形成するための部分となっている。連結部形成区画１３は、図２に示すように、蛇腹状に折り畳まれた状態の柵形成用シート１０（帯状シート）における、上縁部形成区画１１と下縁部形成区画１２との間に位置する区画（網掛けハッチングが表されていない区画）となっている。さらにまた、支柱固定部形成区画１４は、柵形成用支柱２０（図１）に対して柵形成用シート１０を固定するための部分となっている。本実施態様においては、柵形成用シート１０を切れ目Ｃで切断して支柱固定部形成区画１４を切り起こし、図１に示すように、その切り起こした支柱固定部形成区画１４（支柱固定部）を結び付けることで、柵形成用シート１０を柵形成用支柱２０に固定できるようにしている。支柱固定部形成区画１４は、連結部形成区画１３に設けてもよいが、本実施態様においては、図２に示すように、上縁部形成区画１１及び下縁部形成区画１２における一部の区画が支柱固定部形成区画１４となるようにしている。これにより、柵形成用シート１０の上縁部１１及び下縁部１２を、柵形成用支柱２０に固定し、施工後の柵形成用シート１０の形態を柵状で安定させることができるようになっている。
【００２８】
ところで、本実施態様においては、図３に示すように、柵形成用シート１０の折り畳み方向（左右方向）に平行な複数本の切れ目Ｃを連結部形成区画１３に設けることによって、展開前の柵形成用シート１０において、連結部１３が左右方向でジグザグ状に形成されるようにしている。この態様の柵形成用シート１０は、上述した比ΔＷｍａｘ／Ｗ０を大きく確保しやすいというメリットを有している。また、本実施態様においては、柵形成用シート１０における上縁部１１と連結部１３との接続領域αの真下（接続領域αから、柵形成用シート１０の幅方向に伸ばした直線に重なる位置）に、柵形成用シート１０における下縁部１２と連結部１３との接続領域βが位置するようにしている。このため、それぞれの連結部１３は、図１に示すように、動物侵入防止柵１００を施工した際に、上下方向に略平行に形成されるようになっている。この場合、隣り合う連結部１３の間隔は、略一定となる。
【００２９】
連結部形成区画１３における切れ目Ｃの設け方は、上記の態様（図３に示した態様）に限定されない。例えば、図６に示すように、柵形成用シート１０の折り畳み方向に垂直（上下方向に平行）な複数本の切れ目Ｃを連結部形成区画１３に設けることによって、連結部１３が上下方向でジグザグ状に形成されるようにすることもできる。また、図３に示した柵形成用シート１０では、上縁部１１と連結部１３との接続領域αの真下に、下縁部１２と連結部１３との接続領域βが位置するようになっていたところ、図６に示す柵形成用シート１０では、上縁部１１と連結部１３との接続領域αの真下からずれた位置に、下縁部１２と連結部１３との接続領域βが位置するようになっている。このため、図６に示す柵形成用シート１０を用いて動物侵入防止柵１００を施工すると、隣り合う一対の連結部１３が「Ｖ」字状又は逆「Ｖ」字状となるように、それぞれの連結部１３が、上下方向に対して傾斜するようになっている。
【００３０】
この他、例えば、図７に示すように、複数本の切れ目Ｃを、二次元的（柵形成用シート１０の長手方向及び幅方向）に互い違いになるように設けてもよい。図７に示す柵形成用シート１０は、略菱形の目を多数有する網状の柵に展開される。図７に示す柵形成用シート１０は、図３や図６に示した柵形成用シート１０と比較して、柵の目（連結部１３によって区切られる空間）の寸法を小さくすることがでる。すなわち、図７に示す柵形成用シート１０は、施工後の強度を維持しやすいだけでなく、動物の通り抜けをより確実に防ぐことができるというメリットを有している。図７に示す柵形成用シート１０では、連結部形成区画１３における複数本の切れ目Ｃは、いずれも柵形成用シート１０の長手方向（折り畳み方向）に対して平行となっているが、これらの切れ目Ｃは、柵形成用シート１０の長手方向に対して傾斜（垂直な方向も含む。）させても、網状の柵に展開可能な柵形成用シート１０を得ることができる。
【００３１】
柵形成用シート１０は、動物忌避剤を付着（塗布又は含浸等）でき、柵状に展開した際に必要な強度を維持できるものであれば、その素材を特に限定されない。強度を重視する場合には、樹脂フィルムや金属フィルム等のフィルムを好適に用いることができるが、動物忌避剤の付着性を重視する場合には、紙や布生地（織布、編布又は不織布等）等を好適に用いることができる。動物忌避剤の付着性に難のある材料で柵形成用シート１０を形成する場合には、表面処理を施す等して、動物忌避剤の付着性を高めることもできる。動物忌避剤は、図１に示すように、柵形成用シート１０を柵状に展開した後に事後的に塗布等するようにしてもよいが、本実施態様においては、柵形成用シート１０に予め付着（含浸）させている。柵形成用シート１０に付着させる動物忌避剤の種類は、侵入防止対象動物の種類等によっても異なるが、カイサプシン又はクレオソートを成分に含むものを好適に用いることができる。本実施態様においては、カイサプシン（唐辛子を無水アルコールに付け込んで抽出したもの）を成分に含む動物忌避剤を用いている。この動物忌避剤は、猪に対する忌避効果が強力なものとなっている。
【００３２】
［柵形成用支柱（動物侵入防止柵形成用支柱）］
柵形成用支柱２０は、図１に示すように、柵形成用シート１０を支持するためのものとなっている。柵形成用支柱２０は、地面等における動物侵入防止柵１００を設置する箇所に、所定間隔で立設される。柵形成用支柱２０を立設する間隔は、特に限定されないが、通常、５０〜５００ｃｍ程度、好ましくは、１００〜２００ｃｍ程度とされる。柵形成用支柱２０は、地面等に立設可能な棒状のものであれば、特に限定されない。本実施態様においては、その外周面に多数の突起が形成された、いわゆる「イボ竹」と呼ばれる棒材を、柵形成用支柱２０として使用している。柵形成用支柱２０の下端部は、杭状に先鋭に形成されており、地面等に容易に打ち込むことができるようになっている。
【００３３】
柵形成用支柱２０を地面等に立設する方法は、特に限定されず、ハンマー等を用いてもよい。しかし、柵形成用支柱２０の高さがある場合には、柵形成用支柱２０の上端部をハンマー等で叩きにくい。このため、本実施態様においては、図８及び図９に示す支柱立設具３０を用いて柵形成用支柱２０を地面Ｇ等に打ち込むようにしている。図８は、本発明の動物侵入防止柵１００の施工方法において柵形成用支柱２０を地面に立設する際に好適に用いることのできる支柱立設具３０を示した斜視図である。図９は、図８に示した支柱立設具３０を用いて柵形成用支柱２０を地面Ｇに立設している様子を示した図である。
【００３４】
この支柱立設具３０は、図８に示すように、支柱保持部３１と踏みつけ部３２とで構成されている。支柱保持部３１ａと踏みつけ部３２は、いずれも板状を為し、その開き角度が９０°よりも大きく１８０°未満（通常、１２０〜１５０°程度）となるように、互いに傾斜した状態となっている。本実施態様においては、１枚の金属板に折り曲げ加工を施すことにより、支柱立設具３０を形成している。この支柱立設具３０は、図９に示すように、支柱保持部３１に柵形成用支柱２０における下端部付近を保持させた状態で、踏みつけ部３２を下側に踏みつけることにより、柵形成用支柱２０の下端部を地面Ｇ等に打ち込むことができるようにするものとなっている。
【００３５】
本実施態様において、支柱立設具３０の支柱保持部３１には、支柱保持孔３１ａと、支柱導入溝３１ｂとが形成されている。支柱保持孔３１ａは、図９に示すように、柵形成用支柱２０を地面Ｇ等に打ち込む際に、柵形成用支柱２０の下端部付近を挿通して保持するための部分となっている。一方、支柱導入溝３１ａは、支柱保持部３１の外方から支柱保持孔３１ａまで柵形成用支柱２０を導き入れるための部分となっている。
【００３６】
支柱保持孔３１ａは、長孔状に形成されており、図９に示すように、踏みつけ部３２を足７０等で踏みつける際（踏みつけ部３２が略水平となる際）に、柵形成用支柱２０の外周面における奥側（作業者から見て奥側。以下同じ。）を向く部分が、支柱保持孔３１ａの奥側の端部に当接し、柵形成用支柱２０の外周面における手前側（作業者から見て手前側。以下同じ。）を向く部分が、支柱保持孔３１ａの手前側の端部に当接するようになっている。このように、支柱保持孔３１ａにおける２点で柵形成用支柱２０を保持することによって、支柱立設具３０の踏みつけ部３２を下側に踏みつける際に、柵形成用支柱２０に対して支柱立設具３０が下側に移動しにくいようになっている。
【符号の説明】
【００３７】
１０    動物侵入防止柵形成用シート（帯状シート）
１１    上縁部形成区画（上縁部）
１２    下縁部形成区画（下縁部）
１３    連結部形成区画（連結部）
１４    支柱固定部形成区画（支柱固定部）
２０    動物侵入防止柵形成用支柱
３０    支柱立設具
３１    支柱保持部
３１ａ  支柱保持孔
３１ｂ  支柱導入溝
３２    踏みつけ部
５０    畑（動物侵入防止対象区画）
６０    猪（侵入防止対象動物）
７０    足
１００    動物侵入防止柵
Ｃ    切れ目
Ｇ    地面
α    動物侵入防止柵形成用シートにおける上縁部と連結部との接続領域
β    動物侵入防止柵形成用シートにおける下縁部と連結部との接続領域
【図１】
2017192355.tif 000003
【図２】
2017192355.tif 000004
【図３】
2017192355.tif 000005
【図４】
2017192355.tif 000006
【図５】
2017192355.tif 000007
【図６】
2017192355.tif 000008
【図７】
2017192355.tif 000009
【図８】
2017192355.tif 000010
【図９】
2017192355.tif 000011